(57)【要約】【課題】表示装置に備わるスピーカの振動により表示部が振動してしまうことを防止する技術を提供する。【解決手段】表示装置１０は、表示部２０と、スタンド３０とを備える。表示装置１０は、液晶テレビや、ＰＤＰテレビ等である。表示部２０とスタンド３０とは、容易に脱着可能に構成されている。スタンド３０は、台座に当たるスタンドベース３１と、円筒形状の支柱３２と、を備える。さらに、支柱３２の内部には、第１及び第２のスピーカ３３ａ，３３ｂとを備える。【選択図】図１
2008154084.tif 000002
【特許請求の範囲】
【請求項１】
表示装置の表示部に対して脱着可能に取り付けられるスタンドであって、
支柱の内部にスピーカを備えることを特徴とするスタンド。
【請求項２】
前記スピーカは前方斜め下方向を向いていることを特徴とする請求項１に記載のスタンド。
【請求項３】
前記スピーカの数は複数であって、前方右斜め外方向を向いているスピーカと、前方左斜め外方向を向いているスピーカとを備えることを特徴とする請求項１または２に記載のスタンド。
【請求項４】
前記スピーカは、周波数の低い音を出力するウーハであることを特徴とする請求項１から３までのいずれかに記載のスタンド。
【請求項５】
前記支柱の内部において、前記スピーカが設けられる空間を左右に仕切る仕切手段を備えることを特徴とする請求項１から４までのいずれかに記載のスタンド。
【請求項６】
前記支柱に設けられ、前記表示部と接合する接合手段を備え、
前記接合手段は、
前記支柱の側面に設けられた固定孔と、
前記固定孔の内部に備わり、前記固定孔の開口より突出可能な移動体と、
前記固定孔の内部に備わり、前記移動体を前記固定孔の外部に向けて付勢可能な付勢手段と
を備えることを特徴とする請求項１から５までのいずれかに記載のスタンド。
【請求項７】
前記移動体が作用する箇所とは異なる箇所にて前記付勢手段に対して作用し、前記付勢手段の付勢力を変更する付勢力変更手段を備えることを特徴とする請求項６に記載のスタンド。
【請求項８】
前記接合手段は、前記支柱から前記表示装置に伝わる振動を低減する緩衝材を備えることを特徴とする請求項６または７に記載のスタンド。
【請求項９】
前記接合手段は、前記表示部と接合した際に、前記スピーカに対する音声入力系統を表示部の音声出力系統に確立させる接続確立部を備えることを特徴とする請求項１から８までのいずれかに記載のスタンド。
【請求項１０】
前記支柱は、円筒の形状を有し、前記円筒の前面は、円筒の上部の略中央部より、前方に向かって下る傾斜面を備えることを特徴とする請求項１から９までのいずれかに記載のスタンド。
【請求項１１】
スタンドと表示部とが脱着可能に備わる表示装置であって、
前記スタンドの支柱の内部に設けられたスピーカと、
前記支柱の上部に設けられた挿入凸部と、前記表示部の底部に設けられた挿入凹部とを備え、前記挿入凸部を前記挿入凹部に挿入し嵌合させることで前記スタンドを前記表示部に接合させる接合手段と
を備えることを特徴とすると表示装置。
【請求項１２】
前記スピーカは前方斜め下方向を向いていることを特徴とする請求項１１に記載の表示装置。
【請求項１３】
前記スピーカの数は複数であって、前方右斜め外方向を向いているスピーカと、前方左斜め外方向を向いているスピーカとを備えることを特徴とする請求項１１または１２に記載の表示装置。
【請求項１４】
前記スピーカは、周波数の低い音を出力するウーハであることを特徴とする請求項１１から１３までのいずれかに記載の表示装置。
【請求項１５】
前記支柱の内部において、前記スピーカが設けられる空間を左右に仕切る仕切手段を備えることを特徴とする請求項１１から１４までのいずれかに記載の表示装置。
【請求項１６】
前記支柱の前記挿入凸部は、
前記支柱の側面に設けられた固定孔と、
前記固定孔の内部に備わり、前記固定孔の開口より突出可能な移動体と、
前記固定孔の内部に備わり、前記移動体を前記固定孔の外部に向けて付勢可能な付勢手段とを備え、
前記表示部の前記挿入凹部は、
凹形状の内部において、前記移動体が開口より突出した際に、前記移動体の突出した部分と係止する係止部と
を備えることを特徴とする請求項１１から１５までのいずれかに記載の表示装置。
【請求項１７】
前記移動体が作用する箇所とは異なる箇所にて前記付勢手段に対して作用し、前記付勢手段の付勢力を変更する付勢力変更手段を備えることを特徴とする請求項１６に記載の表示装置。
【請求項１８】
前記接合手段は、前記支柱の前記挿入凸部と前記表示部の前記挿入凹部とが嵌合した際に、前記挿入凸部と前記表示部との間に位置する緩衝材を備えることを特徴とする請求項１１から１７までのいずれかに記載の表示装置。
【請求項１９】
前記支柱の前記挿入凸部は、前記スピーカに音声信号を入力する音声入力端子を備え、
前記表示部の前記挿入凹部は、前記スピーカに音声信号を出力する音声出力端子を備え、
前記入力端子と前記出力端子は、前記接合手段により前記スタンドと前記表示部が接合することにより、音声信号の接続を確立させることを特徴とする請求項１１から１８までのいずれかに記載の表示装置。
【請求項２０】
前記支柱は、円筒の形状を備え、前記円筒の前面は、円筒の上部の略中央部より、前方に向かって下る傾斜面を備えることを特徴とする請求項１１から１９までのいずれかに記載の表示装置。
【発明の詳細な説明】
【技術分野】
【０００１】
本発明は、スタンド及びそのスタンドを備えた表示装置に係り、特に表示部に脱着可能なスタンド及び前記のスタンドと表示部とが脱着可能に備わる表示装置に関する。
【背景技術】
【０００２】
液晶テレビ等の薄型表示装置において、スピーカは表示パネルの筐体に固定することが一般的になっている。スピーカの固定の際には、スピーカの振動が筐体に伝達することを防止するため、一般にインシュレータ等の防振材や吸振材を介して筐体にスピーカが取り付けられている。
【０００３】
また、表示パネルの筐体ではなく、表示装置のスタンドの台座部分にスピーカを設ける技術がある（例えば、特許文献１参照）。この特許文献１に開示の技術では、スタンドの台座部分に、十分な容積を確保したスピーカを設けたことで、設置床面の面積を増加させることなく、所望の性能のスピーカを実現している。
【０００４】
【特許文献１】特開２００３−２０４５８７号公報
【発明の開示】
【発明が解決しようとする課題】
【０００５】
ところで、上述のように、インシュレータ等を介してスピーカが固定されていても、取付スペースや取付位置の制約等から、スピーカで発生した振動の筐体への伝達防止対策を施すことは難しい。スピーカの振動が筐体に伝達されると、筐体の構成部材が振動し、本来発生すべきでない音が発生してしまうことがある。特に近年のように、筐体の薄型化や軽量化、筐体や表示パネル等の部材の固定箇所の低減が従来以上に進みつつある状況においては、スピーカに起因した筐体の振動の防止と上記の筐体の薄型化等とを両立させることが一層困難になってきている。
【０００６】
また、液晶テレビ等の薄型表示装置においては、スピーカの振動により液晶などのパネルが共振する、いわゆるハウリングが発生することがあり、このハウリングにより表示品位の低下が引き起こされることがあり、改善が求められている。
【０００７】
本発明は、以上の様な状況に鑑みなされたものであって、表示装置に備わるスピーカの振動により表示部が振動してしまうことを防止する技術を提供することにある。
【課題を解決するための手段】
【０００８】
本発明に係る装置は、スタンドに関する。このスタンドは、表示装置の表示部に対して脱着可能に取り付けられるスタンドであって、支柱の内部にスピーカを備える。
また、前記スピーカは前方斜め下方向を向いていてもよい。
また、前記スピーカの数は複数であって、前方右斜め外方向を向いているスピーカと、前方左斜め外方向を向いているスピーカとを備えてもよい。
また、前記スピーカは、周波数の低い音を出力するウーハであってもよい。
また、前記支柱の内部において、前記スピーカが設けられる空間を左右に仕切る仕切手段を備えてもよい。
また、前記支柱に設けられ、前記表示部と接合する接合手段を備え、前記接合手段は、前記支柱の側面に設けられた固定孔と、前記固定孔の内部に備わり、前記固定孔の開口より突出可能な移動体と、前記固定孔の内部に備わり、前記移動体を前記固定孔の外部に向けて付勢可能な付勢手段とを備えてもよい。
また、前記移動体が作用する箇所とは異なる箇所にて前記付勢手段に対して作用し、前記付勢手段の付勢力を変更する付勢力変更手段を備えてもよい。
また、前記接合手段は、前記支柱から前記表示装置に伝わる振動を低減する緩衝材を備えてもよい。
また、接合手段は、前記表示部と接合した際に、前記スピーカに対する音声入力系統を表示部の音声出力系統に確立させる接続確立部を備えてもよい。
また前記支柱は、円筒の形状を有し、前記円筒の前面は、円筒の上部の略中央部より、前方に向かって下る傾斜面を備えてもよい。
本発明に係る別の装置は、表示装置に関する。この表示装置は、スタンドと表示部とが脱着可能に備わる表示装置であって、前記スタンドの支柱の内部に設けられたスピーカと、前記支柱の上部に設けられた挿入凸部と、前記表示部の底部に設けられた挿入凹部とを備え、前記挿入凸部を前記挿入凹部に挿入し嵌合させることで前記スタンドを前記表示部に接合させる接合手段とを備えている。
また、前記スピーカは前方斜め下方向を向いていてもよい。
また、前記スピーカの数は複数であって、前方右斜め外方向を向いているスピーカと、前方左斜め外方向を向いているスピーカとを備えてもよい。
また、前記スピーカは、周波数の低い音を出力するウーハであってもよい。
また、前記支柱の内部において、前記スピーカが設けられる空間を左右に仕切る仕切手段を備えてもよい。
また、前記支柱の前記挿入凸部は、前記支柱の側面に設けられた固定孔と、前記固定孔の内部に備わり、前記固定孔の開口より突出可能な移動体と、前記固定孔の内部に備わり、前記移動体を前記固定孔の外部に向けて付勢可能な付勢手段とを備え、前記表示部の前記挿入凹部は、凹形状の内部において、前記移動体が開口より突出した際に、前記移動体の突出した部分と係止する係止部とを備えてもよい。
また、前記移動体が作用する箇所とは異なる箇所にて前記付勢手段に対して作用し、前記付勢手段の付勢力を変更する付勢力変更手段を備えてもよい。
また、前記接合手段は、前記支柱の前記挿入凸部と前記表示部の前記挿入凹部とが嵌合した際に、前記挿入凸部と前記表示部との間に位置する緩衝材を備えてもよい。
また、前記緩衝手段は、弾性体であってもよい。
また、前記支柱の前記挿入凸部は、前記スピーカに音声信号を入力する音声入力端子を備え、前記表示部の前記挿入凹部は、前記スピーカに音声信号を出力する音声出力端子を備え、前記入力端子と前記出力端子は、前記接合手段により前記スタンドと前記表示部が接合することにより、音声信号の接続を確立してもよい。
また、前記支柱は、円筒の形状を有し、前記円筒の前面は、円筒の上部の略中央部より、前方に向かって下る傾斜面を備えてもよい。
【発明の効果】
【０００９】
本発明によれば、表示装置に備わるスピーカの振動によって表示部が振動してしまうことを防止できる。
【発明を実施するための最良の形態】
【００１０】
次に、本発明を実施するための最良の形態（以下、単に「実施形態」という。）を、図面を参照して具体的に説明する。
【００１１】
図１に示すように、本実施形態に係る表示装置１０は、表示部２０と、スタンド３０とを備える。表示装置１０は、液晶テレビや、ＰＤＰ（Plasma Display Panel）テレビ等である。また、表示部２０は、液晶パネルやＰＤＰ等の薄型表示パネルを備える。なお、表示部２０とスタンド３０とは、容易に脱着可能に構成されており、この脱着については後述する。
【００１２】
また、スタンド３０は、台座であるスタンドベース３１と、円筒形状の支柱３２と、を備える。さらに、支柱３２は、内部に第１及び第２のスピーカ３３ａ，３３ｂとを備える。なお、第１及び第２のスピーカ３３ａ，３３ｂを区別しないときは、単に「スピーカ３３」という。これら二つのスピーカ３３により、ステレオ音声出力ができる。また、スピーカ３３の前面部分にはスピーカカバー４６が取り付けられている。
【００１３】
つづいて、図２から図５を用いて、スタンド３０について詳しく説明する。スタンドベース３１は、図３に示すように、平面視「十文字」形状を有する。スタンドベース３１の中央部分には、円筒形状の支柱３２が立設されている。
【００１４】
また、支柱３２の上面は、後側半分が半円の平面となっており、さらに略中央部分から、前方下側に向けて平面で切り取られた斜断面４５が形成されている。この斜断面４５の部分に、前述のスピーカカバー４６が設けられている。なお、図２から図５においては、理解の容易のために、スピーカカバー４６を省略している。
【００１５】
さらに、支柱３２の内部には、斜断面４５から所定の深さｈ１（図５に図示。）となる空間４７が形成されており、さらにその空間４７は、中央部分で分離壁４３により二分されている。図中、正面視左側の空間を第１の空間４７ａといい、正面視右側の空間を第２の空間４７ｂという。
【００１６】
さらに、第１の空間４７ａにはスピーカ３３ａが取り付けられ、第２の空間４７ｂにはスピーカ３３ｂが取り付けられている。具体的には、第１の空間４７ａの上側及び下側に、二つのリブ４２ａ，４２ｃが立設されている。一方、スピーカ３３ａには、長方形の取付金具３９ａ，３９ｃが上下に立設されている。さらに、取付金具３９ａ，３９ｃの先端には係止部４１ａ，４１ｃが形成されている。この係止部４１ａ，４１ｃとリブ４２ａ，４２ｃが係止することで、スピーカ３３ａが支柱３２の内部に取り付けられる。
【００１７】
同様に、第２の空間４７ｂの上側及び下側に、二つのリブ４２ｂ，４２ｄが立設されている。スピーカ３３ｂには、長方形の取付金具３９ｂ，３９ｄが上下に立設されており、取付金具３９ｂ，３９ｄの先端には係止部４１ｂ，４１ｄが形成されている。この係止部４１ｂ，４１ｄとリブ４２ｂ，４２ｄが係止することで、スピーカ３３ｂが支柱３２の内部に取り付けられる。ここでは、第１及び第２のスピーカ３３ａ，３３ｂは、斜断面４５に対して平行になっている。
【００１８】
また、支柱３２の上面の後側の半円部分には、直方体の挿入凸部３４が設けられている。挿入凸部３４は、後述するように表示部２０の底面中央部分に設けられた挿入凹部５０（図６に表示。）に挿嵌される。これによって、スタンド３０と表示部２０が一体に嵌合する。
【００１９】
また、挿入凸部３４の両側面には、所定の深さｈ２（図４に図示。）の固定孔３５ａ，３５ｂが形成されている。固定孔３５ａ，３５ｂの内部には、それぞれスプリング４０ａ，４０ｂが縮設されている。さらに、固定孔３５ａ，３５ｂの開口部とスプリング４０ａ，４０ｂの開口側の端部との間に、それぞれ球体３６ａ，３６ｂが配置され、スプリング４０ａ，４０ｂにより開口外側方向に付勢されている。二つの球体３６ａ，３６ｂを区別しないときは単に、「球体３６」ともいう。ここで、固定孔３５の開口部分は、球体３６の直径より小さく形成されており、スプリング４０ａ，４０ｂの付勢力により、所定量だけ突出する。球体３６は、外部から力が作用したとき、内部に隠れるまで移動可能となっている。
【００２０】
さらに、挿入凸部３４の上面には、第１のスピーカ３３ａに接続される第１の支柱側端子５１ａ，５１ｃと、第２のスピーカ３３ｂに接続される第２の支柱側端子５１ｂ，５１ｄとが設けられている。第１の支柱側端子５１ａ，５１ｃ及び第２の支柱側端子５１ｂ，５１ｄを区別しないときは、以下、単に「支柱側端子５１」という。また、支柱側端子５１は、導体の金属の板バネである。
【００２１】
次に、図６を用いて表示部２０に設けられた挿入凹部５０の構造及び、表示部２０とスタンド３０との嵌合について説明する。
【００２２】
上述のように表示部２０の底部４９には、挿入凸部３４が挿入されたときに嵌合可能な直方体状の挿入凹部５０が、形成されている。なお、挿入凹部５０の内部の各面は、例えばゴムやシリコンなどの防振または吸振機能を有する緩衝部材（以下、単に「防振材５８」という。）により形成されている。この防振材５８により、表示部２０とスタンド３０との間の振動伝達が防止される。
【００２３】
そして、挿入凸部３４が挿入凹部５０に挿入される際に、球体３６は内部側面５６に押され、挿入凸部３４の内部方向、つまり、固定孔５６内に隠れる方向へ移動する。これにより、挿入凸部３４は、球体３６の突出部分に邪魔されることなく挿入凹部５０に挿入される。
【００２４】
また、挿入凹部５０の内部側面５６部分には、係止部５７ａ，５７ｂ（二つの係止部５７ａ，５７ｂを区別しないときは、単に「係止５７」という。）が凹設されている。図７に示すように、挿入凸部３４が嵌合の位置まで挿入されたときに、係止部５７は球体３６と直接的に係止する。この係止部５７は、図７（ａ）のように、防振材５８に凹状の形状が形成されてもよい。また、図７（ｂ）に示すように、防振材５８より内部の部材に、凹状の形状を形成し、図７（ｃ）に示すように、球体３６と係止する際に、防振材５８が変形し、この変形部分を介して球体３６と係止部５７が間接的に係止する態様としてもよい。
【００２５】
図６に戻り、挿入凹部５０の最深部の面には、第１の支柱側端子５１ａ，５１ｃと接続する第１の表示部側端子５２ａ，５２ｃと、第２の支柱側端子５１ｂ，５１ｄと接続する第２の表示部側端子５２ｂ，５２ｄとが設置されている。第１の表示部側端子５２ａ，５２ｃ及び第２の表示部側端子５２ｂ，５２ｄを区別しないときは、以下、単に「表示部側端子５２」ともいう。なお、表示部側端子５２は導体の金属板である。
【００２６】
上述のように支柱側端子５１は板バネであるので、表示部２０とスタンド３０とが嵌合した場合、板バネの付勢力により、支柱側端子５１と表示部側端子５２との間は、電気的な接続が確実に確立する。
【００２７】
その結果、第１のスピーカ３３ａから出力される音声の信号は図６に示すように、表示部２０に備わる音声出力回路５５から出力され、表示部側ケーブル５４ａ，５４ｃ、第１の表示部側端子５２ａ，５２ｃ、第１の支柱側端子５１ａ，５１ｃ及び支柱側ケーブル５３ａ，５３ｃを経由して第１のスピーカ３３ａに伝送される。
【００２８】
同様に、第２のスピーカ３３ｂから出力される音声の信号は、音声出力回路５５から出力され、表示部側ケーブル５４ｂ，５４ｄ、第２の表示部側端子５２ｂ，５２ｄ、第２の支柱側端子５１ｂ，５１ｄ及び支柱側ケーブル５３ｂ，５３ｄを経由して第２のスピーカ３３ｂに伝送される。
【００２９】
なお、支柱側端子５１と表示部側端子５２との接続は、金属の板バネと金属板が接触することでなされたが、それ以外に、ピン接続によってなされてもよい。また、支柱側端子５１と表示部側端子５２とをケーブルで接続する構成としてもよい。このようにすることで、支柱３２のスピーカ３３以外のスピーカを利用する場合に、そのスピーカへの接続が容易となる。
【００３０】
以上のように、スピーカ３３をスタンド３０の支柱３２内部に設けることで、表示部２０内にスピーカによる振動の発生源をなくすことができる。これによって、表示部２０がスピーカによって振動してしまうことを防止できる。また、スタンド３０と表示部２０との間に、防振材５８を設けることで、振動防振を効果的に実現できる。
【００３１】
また、スピーカが表示部２０内部にある場合、スピーカの振動により表示部２０が振動しないように、表示部２０内に設けられる構成部品の許容誤差を極力小さくし、構成部品間の隙間をなくすようにしていた。本実施形態のように、表示部２０の振動の発生がなくなる、または発生しても小さくなることで、防振を想定した許容誤差について緩くすることができ、コスト低減が可能となる。
【００３２】
なお、図８に示すように、防振材５８は、スタンド３０の挿入凸部３４に設けられてもよい。その場合、球体３６は防振材５８に覆われてもよい。また、球体３６が外部に突出可能に、所定の大きさの孔が形成されてもよい。さらに、防振材５８は、挿入凸部３４と挿入凹部５０の両方に設けられてもよい。
【００３３】
また、上記の構成では支柱３２は１本であったが、図９に示す表示装置１２のように２本の支柱６２ａ，６２ｂを備えるスタンド６０が表示部２２に接続される構成としてもよい。この場合、それぞれの支柱６２ａ，６２ｂに、スピーカ６３ａ，６３ｂが一つずつ設けられる構成とする。このように、支柱６２ａ，６２ｂを２本とすることで、二つのスピーカ６３ａ，６３ｂを離間させることができ、二つのスピーカ６３ａ，６３ｂによる音場設定、特にステレオ感の調整が容易となる。
【００３４】
また、図１０に示す表示装置１４のように、スタンド７０内に設けられるスピーカ７３の向きを、斜め下方向としてもよい。図示のように、表示部２４が支柱７２の上部前方の大部分を遮る構成とした場合、スピーカ７３が真正面方向や斜め上方を向いていると、視聴者に音声が適正に伝わらず、出力を大きくしなくてはならなくなる。そこで、本図のように、スピーカ７３の向きを斜め下方向とし、出力した音声の経路ＳＷを、床面７４で反射させる。これにより、スピーカ７３から出力した音声を適正な音量で視聴者に伝えることができる。
【００３５】
また、図１１に示す表示装置１６のように、スタンド７５の支柱７６に低周波数の音域を出力する低音用のスピーカ（ウーハ）７７ｃを内蔵し、表示部２６に中高周波数の音域を出力する中高音用のスピーカ７７ａ，７７ｂを左右に内蔵する構成としてもよい。その場合、音声出力回路７８は、中高音用のスピーカ７７ａ，７７ｂには、例えば、２００Ｈｚ以上の周波数の音声信号を出力し、低音用のスピーカ７７ｃには、２００Ｈｚ未満の周波数の音声信号を出力する。一般には、低周波数の音域の音が、表示部２６の振動原因となることが多い。したがって、低周波数の音域の音を出力する低音用のスピーカ７７ｃを、支柱７６に設けることで振動防止対策が実現できる。さらに、振動の原因となるおそれが少ない中高周波数の音域の音を出力する中高音用のスピーカ７７ａ，７７ｂを表示部２６に設けることで、ステレオ感の調整が容易となる。また、一般に、低周波数の音域は、指向性が小さいため、低音用のスピーカ７７ｃの支柱７６への設置に関する設計の自由度が高まり、例えば、低音用のスピーカ７７ｃを後ろ向きや横方向に向けることもできる。
【００３６】
また、図１２に示すスタンド８０のように、支柱８２に設けられるスピーカ８３ａ，８３ｂは、正面でなく斜め外方向に向いていてもよい。また、スピーカ８３ａ，８３ｂの向きは、変更可能としてもよい。向きの変更は、例えば、ステッピングモータ等の駆動機構（図示しない。）を支柱８２内部に設け、視聴者がリモコン（図示しない。）などを用いて、スピーカ８３ａ，８３ｂの向きを視聴者の好みの角度に変更する。このようにすることで、視聴者は視聴環境に合わせた音場設定が可能となる。
【００３７】
また、図１３に示す表示装置１８のように、スタンド９０と表示部２８の嵌合位置を変更可能とし、表示部２８の高さを複数段階で調整できるようにしてもよい。ここでは、高さを「上」「下」の２段階に調整できる。図１３（ａ）におけるスタンド９０と表示部２８との接合箇所Ａについての断面を、図１３（ｂ）に拡大して示す。
【００３８】
支柱９２の上面には、図２から図５に示したのと同様に挿入凸部９４が備わり、この挿入凸部９４は、表示部２８とスタンド９０が接続されるとき、表示部２８の挿入凹部９９に挿入される。
【００３９】
挿入凸部９４には、前後に貫通する固定孔８５が形成されている。固定孔８５の内部には、固定孔８５の内径とほぼ同一の大きさの球体８６が移動可能に挿入されている。ここで、固定孔８５の前側の開口は、球体８６が所定量だけ突出可能な大きさとなっている。
【００４０】
さらに、固定孔８５の内部にはスプリング８７が挿入されており、このスプリング８７と固定孔８５の前側の開口の間に球体８６が位置している。
【００４１】
一方、表示部２８の底面には、挿入凹部９９が形成されている。図６や図７で示したように、挿入凹部９９の内部は防振材９８で覆われており、その下は表示部２８の骨組みとなる金属製のシャーシ９３がある。挿入凹部９９の前面側の内部には、上記の球体８６が係止可能に、第１及び第２の係止部９７ａ，９７ｂが上下に所定間隔に並んで形成されている。
【００４２】
さらに、表示装置１８の背面側には、外装枠であるキャビネット９５、シャーシ９３、及び防振材９８を貫通するビス孔８９ａ，８９ｂが上下に所定間隔に並んで形成されている。これらビス孔８９ａ，８９ｂは、係止部９７ａ，９７ｂに対向する位置に形成されている。
【００４３】
ここで、表示部２８の高さを「上」の状態にする場合、挿入凸部９４を挿入凹部９９に所定量だけ挿入し、図示のように球体８６を第２の係止部９７ｂの位置に係止させる。さらに、下側のビス孔８９ｂにビス８８を螺挿し、所定量締め付けることで、スプリング８７を付勢し、球体８６と第２の係止部９７ｂとの係止を強固にする。これにより、表示部２８は、高さが「上」の状態を維持されてスタンド９０に接合される。表示部２８の高さを「下」の状態にする場合は、挿入凸部９４を挿入凹部９９にさらに奥まで挿入し、球体８６を第１の係止部９７ａに係止させ、上側のビス８８をビス孔８９ａに螺挿する。
【００４４】
なお、音声信号の接続に関しては、図６に示したように、挿入凸部９４の上面に金属の板バネの接続端子を設けた構成とすると、表示部２８の高さが「上」の状態のとき、接続を確立できない。したがって、例えば支柱側端子と表示部側端子とを、挿入凸部９４及び挿入凹部９９の側面に設け、球体８６が第１及び第２の係止部９７の位置となったときに接続が確立されるように構成にすればよい。また、支柱側端子と表示部側端子とをケーブルで接続する構成としてもよい。
【００４５】
以上、本実施形態によれば、表示装置に備わるスピーカの振動により表示部が振動してしまうことを防止できる。また別の観点では、表示装置のスタンドにスピーカが備わる、新しいスタイルの表示装置が実現できる。さらに、この表示装置がテレビである場合、テレビとしての使用だけでなくモニターとして使用するユーザに対して、本実施形態のスタンド内蔵型のスピーカや、その他に接続可能な外部スピーカシステムを多様に展開でき、ユーザの嗜好や用途に応じた表示装置の提案ができる。また、液晶などの表示パネルにおけるハウリングの発生を防止できる。
【００４６】
以上、本発明を実施形態をもとに説明した。この実施形態は例示であり、それらの各構成要素の組合せにいろいろな変形例が可能なこと、またそうした変形例も本発明の範囲にあることは当業者に理解されるところである。
【産業上の利用可能性】
【００４７】
本発明は、表示装置に脱着可能なスタンド、または脱着可能なスタンドを備える表示装置に広く利用できる。
【図面の簡単な説明】
【００４８】
【図１】実施形態に係る表示装置の斜視図である。
【図２】実施形態に係る表示装置のスタンドの斜視図である。
【図３】実施形態に係る表示装置のスタンドの平面図である。
【図４】実施形態に係る表示装置のスタンドの正面図である。
【図５】実施形態に係る表示装置のスタンドの側面図である。
【図６】表示部とスタンドとの接合構造を示す模式図である。
【図７】スタンドの球体と表示部の係止部との係止状態を示す模式図である。
【図８】防振材がスタンドの挿入凸部に設けられた状態を示す模式図である。
【図９】スタンドの支柱が２本である表示装置の概略正面図である。
【図１０】支柱内部のスピーカの向きが下向きとなっている表示装置を模式的に示した概略側面図である。
【図１１】低周波数の音域を出力するスピーカをスタンドに内蔵した表示装置の概略正面図である。
【図１２】スタンド内のスピーカの向きが、斜め外方向であるスタンドの平面図である。
【図１３】（ａ）はスタンドと表示部との嵌合部分を示す模式図であり、（ｂ）は（ａ）の接合箇所Ａの拡大図である。
【符号の説明】
【００４９】
１０，１２，１４，１６・・・表示装置
２０，２２，２４，２６，２８・・・表示部
３０，６０，７０，７５，８０，９０・・・スタンド
３１・・・スタンドベース
３２，６２ａ，６２ｂ，７２，７６，８２，９２・・・支柱
３３，６３ａ，６３ｂ，７３，７７ａ，７７ｂ，８３ａ，８３ｂ・・・スピーカ
３４，９４・・・挿入凸部（接合手段）
３５ａ，３５ｂ，８５・・・固定孔
３６，３６ａ，３６ｂ，８６・・・球体（移動体）
３９ａ〜ｄ・・・取付金具
４０，４０ａ，４０ｂ，８７・・・スプリング（付勢手段）
４１ａ〜４１ｄ，５７，９７，９７ａ，９７ｂ・・・係止部
４２ａ〜４２ｄ・・・リブ
４３・・・分離壁（仕切手段）
４５・・・斜断面（傾斜面）
４６・・・スピーカカバー
４７，４７ａ，４７ｂ・・・空間
４９・・・底部
５０，９９・・・挿入凹部（接合手段）
５１ａ〜５１ｄ・・・支柱側端子（接続確立部）
５２ａ〜５２ｄ・・・表示部側端子（接続確立部）
５３ａ〜５３ｄ・・・支柱部側ケーブル
５４ａ〜５４ｄ・・・表示部側ケーブル
５５，７８・・・音声出力回路
５６・・・内部側面
５８，９８・・・防振材（緩衝材）
７４・・・床面
７７ｃ・・・スピーカ（ウーハ）
８８・・・ビス（付勢力変更手段）
８９ａ，８９ｂ・・・ビス孔  。
９３・・・シャーシ
９５・・・キャビネット
【図１】
2008154084.tif 000003
【図２】
2008154084.tif 000004
【図３】
2008154084.tif 000005
【図４】
2008154084.tif 000006
【図５】
2008154084.tif 000007
【図６】
2008154084.tif 000008
【図７】
2008154084.tif 000009
【図８】
2008154084.tif 000010
【図９】
2008154084.tif 000011
【図１０】
2008154084.tif 000012
【図１１】
2008154084.tif 000013
【図１２】
2008154084.tif 000014
【図１３】
2008154084.tif 000015